(57)【要約】      （修正有）【課題】複数の折り畳み式手段を備えたタブレットＰＣケースを提供する。【解決手段】複数の折り畳み式手段を備えたタブレットＰＣケースは、保護ケースの背面１０と保護ケースのカバー２０、３０、４０を含み、保護ケースの背面と保護ケースのカバーは、幾何学的に折り目が付けられた複数の連続面を形成し、各面の接続部分は、折り曲げることができ、二つの面ごとの接続部分が制限スロットを形成しており、一つの面には磁石が内蔵しており、保護ケースの背面の辺縁は、保護ケースのカバーと接着する磁石を設ける。単純な幾何学的形状の折り畳みと磁石の位置合わせにより、さまざまな用途を実現でき、複雑な機械的構造や回転シャフト部品がいらないため、製品の重量とコストが大幅に削減される。【選択図】図１
0003234105.tif 000002
【実用新案登録請求の範囲】
【請求項１】
保護ケースの背面と保護ケースのカバーを含み、、前記保護ケースのカバーは、複数の連続面を幾何学的に分けて、各面の接続部分は、折り曲げることができ、二つの面ごとの接続部分が制限スロットを形成しており、複数の面には磁石が内蔵しており、前記保護ケースの背面の辺縁は、前記保護ケースのカバーと接着する磁石を設けることを特徴とする複数の折り畳み式手段を備えたタブレットPCケース。
【請求項２】
前記保護ケースのカバーは、第１面と、第２面と、第３面とを含み、各面は、サイズが等しくない長方形の構造を形成することを特徴とする請求項１に記載の複数の折り畳み式手段を備えたタブレットPCケース。
【請求項３】
前記第１面と前記第２面が接続されて制限スロットを形成し、前記第２面と前記第３面が接続されて制限スロットを形成することを特徴とする請求項２に記載の複数の折り畳み式手段を備えたタブレットPCケース。
【請求項４】
前記保護ケースの背面は、第３面の側辺を配置するための制限スロットが設けられていることを特徴とする請求項２に記載の複数の折り畳み式手段を備えたタブレットPCケース。
【請求項５】
前記第１面と第２面の底面にも、折り畳み可能な三角形部分が設けられていることを特徴とする請求項２に記載の複数の折り畳み式手段を備えたタブレットPCケース。
【請求項６】
前記第１面と前記第２面は、前記保護ケースの背面と三角形を形成し、底部の三角形部分が折り畳まれた後、第１面、第２面と前記保護ケースの背面との間に傾斜角を有する三角形を形成することを特徴とする請求項５に記載の複数の折り畳み式手段を備えたタブレットPCケース。
【考案の詳細な説明】
【技術分野】
【０００１】
本考案は、タブレットPCケースのアクセサリの分野に関し、特に複数の折り畳み式手段を備えたタブレットPCケースに関する。
【背景技術】
【０００２】
現在、市場に出回っているほとんどのタブレットケースは、保護を提供するか、1つの使用モードのみをサポートしている。市場に出回っている既存の保護カバー製品は、タブレットシリーズ製品の豊富な使用シナリオとモードに対して、設計的に不足または欠陥が存在する。
【考案の概要】
【考案が解決しようとする課題】
【０００３】
本考案の目的は、複数の折り畳み式手段を備えたタブレットPCケースを提供し、以下の技術的態様を通じて実現する。
【０００４】
複数の折り畳み式手段を備えたタブレットPCケースを提供し、保護ケースの背面と保護ケースのカバーを含み、、前記保護ケースのカバーは、複数の連続面を分けており、各面の接続部分は、折り曲げることができ、二つの面ごとの接続部分が制限スロットを形成しており、複数の面には磁石が内蔵しており、前記保護ケースの背面の辺縁は、前記保護ケースのカバーと吸着する磁石を設ける。
【０００５】
また、前記保護ケースのカバーは、第１面と、第２面と、第３面とを含み、各面は、サイズが等しくない長方形の構造を形成する。
【０００６】
さらに、前記第１面と前記第２面が接続されて制限スロットを形成し、前記第２面と前記第３面が接続されて制限スロットを形成する。
【０００７】
さらに、前記保護ケースの背面は、第３面の側辺を配置するための制限スロットが設けられている。
【０００８】
さらに、第１面と第２面の底面にも、折り畳み可能な三角形部分が設けられている。
【０００９】
さらに、前記第１面と前記第２面は、前記保護ケースの背面と三角形を形成し、底部の三角形部分が折り畳まれた後、第１面、第２面と前記保護ケースの背面との間に傾斜角を有する三角形を形成する。
【考案の効果】
【００１０】
本考案の有益な効果は、水平スクリーン、単純な幾何学的な折り畳みと磁石の位置合わせによって、横向きに立てのスクリーン、縦向きに立てのスクリーン、手描き/書き込み等の3つの使用モードを実現でき、複雑な機械的構造や回転シャフト部品がいらないため、製品の重量とコストが大幅に削減される。機械的な構造や部品を介してタブレットPCなど製品のマルチモードシナリオを実現できる他の製品と比較して、その損失率も大幅に削減される。本考案は、簡単で使いやすい幾何学的な面と磁力による吸着の組み合わせにより、三つの異なるモードのタブレットPC等の製品の使用シナリオを実現可能にする。
【図面の簡単な説明】
【００１１】
【図１】本考案の実施形態に関わる保護ケース構造の概略図である。
【図２】本考案の実施形態に関わる第１の使用モードを示す構造概略図である。
【図３】図２の他の見掛けを示す構造概略図である。
【図４】本考案の実施形態に関わる第２の使用モードを示す構造概略図である。
【図５】図４の他の見掛けを示す構造概略図である。
【図６】本考案の実施形態に関わる第３の使用モードを示す構造概略図である。
【図７】図６の他の見掛けを示す構造概略図である。
【図８】本考案の実施形態に関わる保護ケース構造の概略図である。
【考案を実施するための形態】
【００１２】
以下は、本考案の実施形態における添付図面を参照し、本考案の実施形態における技術内容を明確で完全に説明する。しかしながら、説明された実施形態は、本考案の実施形態のすべてではなく、代表例の一部である。本考案の実施形態に基づいて、本考案が属する技術分野において通常の知識を有する者が創造的な労働を行わずに取得した他のすべての実施形態は、本実用新案の保護範囲内に含まれるものとする。
【００１３】
図１と図８に示すように、本考案の実施形態において、複数の折り畳み式手段を備えたタブレットPCケースは、保護ケースの背面１０と保護ケースのカバー２０，３０，４０を含み、前記保護ケースのカバー２０，３０，４０は、更に、三つの連続面を分けて、各面の接続部分は、折り曲げることができ、二つの面ごとの接続部分が各々制限スロット２２，３２を形成しており、保護ケースの背面１０と保護ケースのカバー２０，３０，４０には磁石１６，２６，３６，４６が内蔵しており、磁石が露出せず、PUカバーを通してPUカバーにさまざまな色や柄をプリントすることができ、面白さと美しさが増している。前記保護ケースの背面の辺縁は、前記保護ケースのカバーと接着する磁石１６を設けており、折り畳むとお互いに接着して、前記保護ケースのカバーの各面の間でお互いに接着する。
【００１４】
各面の表面素材は、PU、レザーまたはその他の素材であって、その表面は、プラスチック、磁性金属シートなどの硬質素材の層で覆われている。
【００１５】
前記保護ケースの背面１０の対応する位置には、カメラ孔１１が設けられ、それに、タブレットPCのモデルに応じて前記カメラ孔１１のサイズと位置を決定する。
【００１６】
前記保護ケースのカバーは、第１面２０と、第２面３０と、第３面４０とを含み、各面は、サイズが等しくない長方形の構造を形成する。
【００１７】
前記第１面２０と前記第２面３０が接続されて制限スロット２２を形成し、前記第２面３０と前記第３面４０が接続されて制限スロット３２を形成する。
【００１８】
前記第１面２０と第２面３０の底面にも、折り畳み可能な三角形部分２１，３１が設けられている。
【００１９】
以下は、使用モードを通じて説明する。
図２−３に示すように、横向きに立てのスクリーンでのモードにおいて：前記保護ケースのカバーを開いた後、前記保護ケースの背面１０と一定の角度を形成し、内蔵された滑り止めPU（ポリウレタン）素材が保護ケースとの間に摩擦力が発生し、前記保護ケースのカバー範囲内に任意の角度で安定に支持作用を達することができる。
【００２０】
図４−５に示すように、縦向きに立てのスクリーンでのモードにおいて：縦向きに立ての状態で前記保護ケースのカバーを開いた後、前記保護ケースの背面１０と一定の角度を形成し、前記保護ケースのカバーの第３面４０は、磁石によって前記保護ケースの背面１０に接着され、安定した三角形を形成し、保護ケースのカバーと保護ケースの背面１０の三角形の幾何学的な分割を合わせて、前記保護ケースのカバーの三角形の幾何学的な分割が特定の角度で折り畳まれた後、保護ケースの全体を後方へ一定な角度で傾斜させるため、タブレットを縦向きに立ての状態で安定になることができる。同時に、人間工学に基づいた角度にも適合し、タブレットを垂直に使用する際に発生した首の疲労等の不快感を軽減する。
【００２１】
図６−７に示すように、手描き/書き込みの使用モードにおいて：保護ケースのカバーの全体が後面へ折り畳まれて、第３面４０が上向きに特定の角度で折り畳まれた後、保護ケースの背面１０に設置されたスロットに収め、接着固定を形成し、第２面３０はデスクトップに水平に配置され、ユーザーが描画や書き込みに適した角度にタブレットを持ち上げることができる。
【００２２】
本考案の有益な効果は、簡単な幾何学的な折り畳み式手段で実現できる三つのモードは、人間工学の最適化されたデザインを満たす。横向きに立てのスクリーンでのモードで、任意の角度を調整できるため、異なるシナリオの使用を満足できる。縦向きに立てのスクリーンでのモードでの固定角度は、ユーザーがタブレットを長時間持つのを防ぎ、タブレットを固定することができ、首や手の負担を軽減する。やや高めの手書き／手書きモードで、よくタブレットでお絵かきや書き込みを行うユーザーも満足できる。角度を適切に上げることで、ペンを持つ手をタブレット端末に自然に掛けて、描画や書き込みを行うことができ、全平面での操作を避けて、首や手首への負担を軽減する。
【００２３】
以上は、本考案の実施形態を詳細に説明したが、本考案が属する技術分野において通常の知識を有する者によって、本考案の原理および精神から逸脱することなく、これらの実施形態に対して様々な変更、修正、置換および変形を行うことができることが理解されるであろう。本考案の範囲は、添付のクレームと
それらの同等物によって定義される。
【符号の説明】
【００２４】
１０        保護ケースの背面
１１        カメラ孔
１６，２６，３６，４６  磁石
２２，３２      制限スロット
２０        保護ケースのカバーの第１面
２１        折り畳み可能な三角形部分
３０        保護ケースのカバーの第２面
３１        折り畳み可能な三角形部分
４０        保護ケースのカバーの第３面
【図１】
0003234105.tif 000003
【図２】
0003234105.tif 000004
【図３】
0003234105.tif 000005
【図４】
0003234105.tif 000006
【図５】
0003234105.tif 000007
【図６】
0003234105.tif 000008
【図７】
0003234105.tif 000009
【図８】
0003234105.tif 000010